(57)【要約】【課題】重量のあるコンテナの荷積み作業および荷降ろし作業を、簡単な操作により軽力で行うことのできるコンテナ台車が求められている。【解決手段】コンテナ台車１は、コンテナを載置可能な荷台枠２と、荷台枠２の後部に立設されたハンドル杆５と、荷台枠２の左右の側壁部４に回動自在に枢支された左右の車輪７を備えるコンテナ台車において、荷台枠２の左右両側壁部における車輪７の車軸６とハンドル杆５の間の位置に、正面視逆Ｕ字状の揺動枠１１を架け渡して前後揺動自在に枢支し、揺動枠１１の所定高さＴ位置に、前方に突出して上向きに屈曲する側面視略Ｌ字状の鉤体１４を取り付け、揺動枠１１の前方揺動により鉤体１４をコンテナ後側面の穴部に挿入させたのちに、揺動枠１１の後方揺動により穴部に係合した鉤体１４がコンテナを持ち上げて荷台枠２上に運ぶように構成したものである。【選択図】      図２
2004175138.tif 000002
【特許請求の範囲】
【請求項１】
コンテナを載置可能な荷台枠と、荷台枠の後部に立設されたハンドル杆と、荷台枠に回動自在に枢支された左右の車輪を備えるコンテナ台車において、荷台枠の左右両側部における車輪の車軸とハンドル杆の間の位置に、正面視逆Ｕ字状の揺動枠を架け渡して前後揺動自在に枢支し、揺動枠の所定高さ位置に、前方に突出して上向きに屈曲する側面視略Ｌ字状の鉤体を取り付け、揺動枠の前方揺動により鉤体をコンテナ後側面の穴部に挿入させたのちに、揺動枠の後方揺動により穴部に係合した鉤体がコンテナを持ち上げて荷台枠上に運ぶように構成したことを特徴とするコンテナ台車。
【請求項２】
揺動枠に上下位置可変に固定される固定部材を介して、鉤体が揺動枠に取り付けられる請求項１に記載のコンテナ台車。
【発明の詳細な説明】
【０００１】
【発明の属する技術分野】
本発明は、例えば野菜、果実、その他の荷物を収容したコンテナ（荷箱）を運搬するコンテナ台車に関するものである。
【０００２】
【従来の技術】
一般に、畑や果樹園などで収穫された野菜や果実は、上面が開口した専用のコンテナに収容されている。かかるコンテナは畑などで任意の場所に置かれるが、収穫物をコンテナまで手で運んで収容していたため、作業者は収穫物を持って歩く距離が長くなってしまいその改善が求められてきた。
そこで、コンテナを載置可能な荷台枠と左右の車輪を備えるコンテナ台車が利用されている。かかるコンテナ台車は、例えば下記の特許文献１に開示されており、荷台枠上にコンテナを積んで運搬するようになっている。
【０００３】
【特許文献１】
特開平９−１５６５１０号公報
【０００４】
【発明が解決しようとする課題】
ところが、上記文献開示のコンテナ台車を用いる場合でも、ミカンなどの重量が加わって重くなったコンテナを、腰を大きく曲げひとつひとつ手で持ち上げて荷台枠上に積み込んだりあるいは荷降ろししなければならず、取り扱われるコンテナ数も多い。そのため、ミカンなどの運搬作業が極めて重労働となっており、婦女子や老人が従事することの多い当該農作業の軽減化および効率化が嘱望されている。
【０００５】
本発明は、上記した従来の問題点に鑑みてなされたものであって、重量のあるコンテナの荷積み作業および荷降ろし作業を、簡単な操作により軽力で行うことのできるコンテナ台車の提供を目的とする。
【０００６】
【課題を解決するための手段】
上記目的を達成するために、本発明に係るコンテナ台車は、コンテナを載置可能な荷台枠と、荷台枠の後部に立設されたハンドル杆と、荷台枠に回動自在に枢支された左右の車輪を備えるコンテナ台車において、荷台枠の左右両側部における車輪の車軸とハンドル杆の間の位置に、正面視逆Ｕ字状の揺動枠を架け渡して前後揺動自在に枢支し、揺動枠の所定高さ位置に、前方に突出して上向きに屈曲する側面視略Ｌ字状の鉤体を取り付け、揺動枠の前方揺動により鉤体をコンテナ後側面の穴部に挿入させたのちに、揺動枠の後方揺動により穴部に係合した鉤体がコンテナを持ち上げて荷台枠上に運ぶように構成したものである。
【０００７】
また、前記の構成において、揺動枠に上下位置可変に固定される固定部材を介して、鉤体が揺動枠に取り付けられたものである。
【０００８】
【発明の実施の形態】
本発明の実施の形態を図面に基づいて説明する。ここに、図１は本発明の一実施形態に係るコンテナ台車の平面図、図２は前記コンテナ台車の左側面図である。
各図において、この実施形態に係るコンテナ台車１は、左右両辺の平板部と後辺の平板部から成る平面視コ字状の荷台枠２を備えている。荷台枠２における左辺の外端部と右辺の外端部にはそれぞれ側部４が立設され、後辺の後端部に後壁部３が立設されている。因みに、荷台枠２と側部４、または荷台枠２と後壁部３は、Ｌ字鋼材などを利用してそれぞれ構成されている。荷台枠２における左右両辺の前端には横向きのローラ軸８が架け渡されており、このローラ軸８にローラ９が回動自在に軸支されている。上記の構成により、荷台枠２およびローラ９の上面に、図１中の一点鎖線で示す、コンテナ（図３以降の１５Ａ，１５Ｂ参照）を載置可能な載置領域Ｒが設定される。
【０００９】
また、左右の側部４，４において、それらの前部には前方に拡開したガード板１０がそれぞれ固設されている。このガード板１０はコンテナ１５Ａを前記の載置領域Ｒに案内するためのものである。側部４，４の外面には車輪７を回動自在に枢支する車軸６がそれぞれ外向きに突設されている。また、車軸６とハンドル杆５の間の位置で左右の側部４，４の両外側部には、枢支軸１２，１２がそれぞれ外向きに突設されている。これらの枢支軸１２，１２に、正面視逆Ｕ字状の揺動枠１１の両脚部が前後（図２の矢印ＣまたはＤ方向）揺動自在に枢支されている。そして、揺動枠１１の両脚部間にはＬ字鋼材などから成る横桟材１３が架け渡され、前方に突出して上向きに屈曲する側面視略Ｌ字状の鉤体１４が前記の横桟材１３に溶接などで取り付けられている。鉤体１４は揺動枠１１の所定高さＴ位置（図２参照）に取り付けられている。尚、揺動枠１１の両脚部間の寸法は、前後揺動の際に両脚部がコンテナ１５Ａ，１５Ｂと接触しないようにコンテナ１５Ａ，１５Ｂの左右幅よりも広く設定されている。
【００１０】
引続き、上記構成のコンテナ台車１の使用態様を説明する。この場合は、上下２段積みで地面に置いてあるコンテナ１５Ａ（下段），１５Ｂ（上段）を、荷台枠２に対し積み降ろしする例を示す。コンテナ１５Ａ，１５Ｂはそれぞれの前後面上部に取手用の穴部１６ｂ，１６ａを有している。この例において、コンテナ１５Ａ，１５Ｂは例えば多数のミカンを収容している。
まず、図３および図４に示すように、利用者はコンテナ台車１をコンテナ１５Ａ，１５Ｂの後部に近づけ、揺動枠１１およびハンドル杆５の上端部５ｆを一体に持ち上げる（図４中の矢印Ｂ方向）。これにより、コンテナ台車１全体が車軸６回りに回転して荷台枠２が前下がりになる。次に、一方の手でハンドル杆５を持ち、他方の手で揺動枠１１を前向き（図４中の矢印Ｃ方向）に揺動させる。更に、揺動枠１１の位置加減を調整して、鉤体１４を下段のコンテナ１５Ａ後面の穴部１６ａに挿入する。
【００１１】
その状態から、図５に示すように、揺動枠１１の例えば上端部１１ｆを手で持って後向き（矢印Ｄ方向）に戻す。すると、枢支軸１２を支点とするテコの原理で、力点である揺動枠１１の上端部１１ｆに力を軽く加えるだけで、作用点となる鉤体１４がコンテナ１５Ａ後部の上縁部１７を楽に持ち上げる。このとき、コンテナ１５Ａ前部底面の底角部１８が接地しており、しかもミカンを収容して重さがあるため、コンテナ１５Ａは地面上を移動しない。また、コンテナ１５Ａを後向きに引こうとする力の反力がコンテナ台車１に前向き（矢印Ｅ方向）にかかっている。そうして、コンテナ１５Ａの後部が持ち上げられて地面との間に荷台枠２前端のローラ９が入り込める隙間が開くと、前記した前向きの反力により車輪７が矢印Ｆのように回転しコンテナ台車１が前進して、荷台枠２の前部がコンテナ１５Ａの後下方に潜り込む。これにより、コンテナ１５Ａの後部が荷台枠２の前部上方に搬入される。
【００１２】
更に、揺動枠１１を後向きに揺動させると、コンテナ１５Ａの底面がローラ９に接していっそう搬入されやすくなる。そして、揺動枠１１の上端部１１ｆがハンドル杆５の上端部５ｆに当接したとき、図６に示すように、コンテナ１５Ａ，１５Ｂは荷台枠２上の所定の載置領域Ｒ（図１参照）に運ばれている。このときも、鉤体１４はコンテナ１５Ａの穴部１６ａに掛かったままである。尚、揺動枠１１に取り付けられる鉤体１４の所定高さＴ位置とは、揺動枠１１の前方揺動により、地面に置かれたコンテナ１５Ａの穴部１６ａ内に鉤体１４が届き、揺動枠１１の後方揺動により、穴部１６ａ上方の上縁部１７に係合した鉤体１４がコンテナ１５Ａを荷台枠２上に搬入し得る鉤体１４の高さ位置を意味する。
【００１３】
その後、図７に示すように、ハンドル杆５および揺動枠１１を一体で下げて（矢印Ｄ方向）、荷台枠２の前端部を浮かせる。そして、コンテナ台車１を動かしてコンテナ１５Ａ，１５Ｂを運搬する。この場合、鉤体１４はコンテナ１５Ａの穴部１６ａに掛かったままであるので、急な坂道であっても、コンテナ１５Ａ，１５Ｂが荷台枠２上から滑り落ちるといったことがない。因みに、図４のように鉤体１４を穴部１６ａに挿入してから図７のようにコンテナ１５Ａ，１５Ｂを荷台枠２上の載置領域Ｒに積み込むまでの時間は、極めて短時間であり１秒とかからない。
【００１４】
一方、目的の場所に到着してコンテナ１５Ａ，１５Ｂを地面に降ろす際には、前述した積み込み時とほぼ逆の動作を実施すればよい。
すなわち、ハンドル杆５および揺動枠１１を図６中の矢印Ｄの逆方向のように一体に持ち上げて、コンテナ１５Ａの底角部１８を着地させる。次に、片手でハンドル杆５を持ったまま揺動枠１１を手放すと、コンテナ１５Ａ，１５Ｂがその自重により荷台枠２上をずり落ちるとともに、揺動枠１１を図５における矢印Ｄの反対方向に揺動させる。
【００１５】
底角部１８の着地でコンテナ１５Ａはその位置に留まるので、揺動枠１１の前向き揺動に反動して、コンテナ台車１の車輪７が矢印Ｆの反対回りに転がり、コンテナ台車１全体が後方（矢印Ｅの反対方向）に移動する。これにより、いとも簡単にコンテナ台車１がコンテナ１５Ａの下方から抜け出し、図４のようにコンテナ１５Ａの底面全体が着地する。その状態から更に、揺動枠１１を前向きに揺動させ、コンテナ台車１全体を少し後方に引いてやると、鉤体１４がコンテナ１５Ａの穴部１６ａから抜け出て、一連の荷降ろし操作が終了する。上記のように、図７から図４までの荷降ろしにかかる時間も１秒足らずと短い。
【００１６】
上記のように、このコンテナ台車１によれば、ミカンなどの荷物を収容して重量が増したコンテナを直に手で触ることなく、簡単かつ軽力の操作で荷積みや荷降ろしを円滑に行うことができる。また、立った姿勢でコンテナの積み降ろしおよび運搬ができるので、腰を大きく曲げる必要がなく腰痛を患いがちな人でも使いやすい。従って、コンテナの積み降ろし・運搬作業を簡単、軽力、かつ、安全に行うことができた。また、小型・軽量であるため、樹木間が狭い所や傾斜地などであっても支障なく自由に行き来できる。因みに、平地であれば、小学生から老人に至るまで使用が可能である。
【００１７】
尚、上記の実施形態では、鉤体１４を高さ位置固定で揺動枠１１に取り付けた例を示したが、本発明のコンテナ台車はそれに限定されるものでない。例えば図８に示すように、揺動枠１１の両脚部に上下位置可変に固定される一対の固定部材２１，２１を介して、鉤体１４および横桟材１３を揺動枠１１に取り付けることも可能である。例えば、固定部材２１は、揺動枠１１に摺動自在に装着される円筒部材１９と、円筒部材１９側面の雌ネジ部（図示省略）に螺合して円筒部材１９を揺動枠１１に固定するツマミ付きボルト２０とから成っている。一対の円筒部材１９，１９間には横桟材１３が架設されている。そして、円筒部材１９のツマミ付きボルト２０を弛めることにより、矢印Ｇのように揺動枠１１に沿って固定位置を変更することができる。また、図示はしないが、鉤体１４を横桟材１３に対し左右位置移動可能に取り付けてもよい。
【００１８】
本発明のコンテナ台車を構成する材料としては、使用に耐える強度を有するものであれば特に限定されず、例えば、Ｌ字鋼材、コ字鋼材、Ｉ字鋼材、鋼管材、ステンレス鋼材、アルムニウム材、硬質プラスチック材などが挙げられる。
また、本発明にいうコンテナとは、少なくとも後側面に、鉤体が差し込まれて掛止され得る穴部を有する荷箱のことであり、上述したミカン用コンテナのみならず、他の果実や野菜、あるいは別の小荷物を収容するための荷箱を含む。
【００１９】
【発明の効果】
以上詳述したように、本発明に係るコンテナ台車によれば、揺動枠の前方揺動により鉤体をコンテナ後側面の穴部に挿入させたのち、揺動枠の後方揺動により穴部に係合した鉤体がコンテナを持ち上げて荷台枠上に運ぶので、ミカンなどの被収容物を収容して重量が増したコンテナでも、直に手で触ることなく簡単な操作により軽力で荷積みや荷降ろしを行うことができる。従って、コンテナ運搬作業に係る重労働の軽減化および作業効率化を図ることができた。
【００２０】
また、固定部材を介して鉤体が揺動枠に上下位置可変に取り付けられる場合は、鉤体の上下位置を変えられるので、大きさや穴部高さの異なるコンテナも積み降ろしすることができる。
【図面の簡単な説明】
【図１】本発明の一実施形態に係るコンテナ台車の平面図である。
【図２】前記コンテナ台車の左側面図である。
【図３】前記コンテナ台車の鉤体をコンテナの穴部に挿入した態様を斜め後方からみた斜視図である。
【図４】前記コンテナ台車およびコンテナの図３に対応した側断面図である。
【図５】前記コンテナ台車の前部にコンテナの後部を載せる態様を示す側断面図である。
【図６】前記コンテナ台車の荷台枠にコンテナを載せ終えた態様を示す側断面図である。
【図７】コンテナを載せ終えたコンテナ台車を水平姿勢にした態様を示す側断面図である。
【図８】揺動枠への鉤体の取付け態様の別例を示すもので、（ａ）は正面図、（ｂ）は部分側面図である。
【符号の説明】
１    コンテナ台車
２    荷台枠
３    後壁部
４    側部
５    ハンドル杆
７    車輪
１１    揺動枠
１２    枢支軸
１３    横桟材
１４    鉤体
１５Ａ  コンテナ
１６ａ  穴部
１９    円筒部材
２０    ツマミ付きボルト
２１    固定部材
Ｒ      載置領域
Ｔ      所定高さ
【図１】
2004175138.tif 000003
【図２】
2004175138.tif 000004
【図３】
2004175138.tif 000005
【図４】
2004175138.tif 000006
【図５】
2004175138.tif 000007
【図６】
2004175138.tif 000008
【図７】
2004175138.tif 000009
【図８】
2004175138.tif 000010